Podtech/llm-jp-corpus-v4-ja_patent huggingface dataset:
(57)【要約】【課題】種々の環境下で安定した特性を確保できる動力発生装置を提供する。【解決手段】振子運動可能に支持された運動子に対して振子運動を与える動力発生装置である。ソーラーパネル１、バッテリー２、起動用コンプレッサー３、フライホイール４、増速機５、カムクラッチ６、ヨーイングギア７、交流発電機８、同期発電用モータ９、エアコンプレッサー１０、複数の空圧シリンダ１１、複数のエアータンク１２、電磁ソレノイド１３を備えている。上部の一対の空圧シリンダ１１が錘１５の支持体１６に衝撃を印加し、下部の二対の空圧シリンダ１１が錘１５あるいは支持体１６に対し衝撃を印加する。空圧シリンダ１１は、まず支持体１６や錘１５の回転運動による力を受けて縮み（そのため先端に力を吸収するためのバネ１７を備えている）、その後に衝撃の印加を印加を行う。【選択図】図１
2015074990.tif 000002
【特許請求の範囲】
【請求項１】
振子運動可能に支持された運動子と、該運動子を振子運動可能に支持する支持体と、前記運動子に対して振子運動を与えるため前記支持体に衝撃を加えるための衝撃印加手段と、前記運動子の振子運動を起動するための外部入力手段とからなることを特徴とする動力発生装置。
【発明の詳細な説明】
【技術分野】
【０００１】
本発明は、振子運動と浮力を利用した動力発生装置に関する。
【背景技術】
【０００２】
振子運動する槽内に配備したフロートを、槽とフロートとの間に溜め液体の動き及び浮力によって揺動させ、このフロートの槽に対する相対的な揺動運動により断続的に大きな力を得ることのできる動力発生装置を明らかにしようとした技術が知られている（例えば、特許文献１参照）。
【０００３】
特許文献１は、振子運動が、小さな入力で長く運動を持続し、小出力を繰り返し得られることはできるが、瞬間的に大きな力を得ることは出来ないとする知見に基づく。具体的には、特許文献１の動力発生装置は、振子運動可能に支持され液体を収容した槽と、該槽内にて槽の振子運動面内にて一軸を中心に揺動可能に支持され槽の上面をスライド可能に貫通した出力軸を具えたフロートと、槽の上面に配備され出力軸が槽の上面に対して下降した際に該出力軸を係止し、槽の振子運動により槽の出力軸側端部が上昇端近傍に達するときに出力軸の係止を解除する掛け外し手段と、槽を振子運動させるための補助入力手段とによって構成されている。
【発明の概要】
【発明が解決しようとする課題】
【０００４】
しかしながら、特許文献１の技術では、現実的には種々の環境下で安定した特性を確保できていない。本発明は、このような問題を解決した、振子運動と浮力を利用した動力発生装置を提供することを目的とする。
【課題を解決するための手段】
【０００５】
本発明に係る動力発生装置は、振子運動可能に支持された運動子と、該運動子を振子運動可能に支持する支持体と、前記運動子に対して振子運動を与えるため前記支持体に衝撃を加えるための衝撃印加手段と、前記運動子の振子運動を起動するための外部入力手段とからなることを特徴とする。
【発明の効果】
【０００６】
本発明によれば、種々の環境下で安定した特性を確保できる動力発生装置を提供可能となる。
【図面の簡単な説明】
【０００７】
【図１】本発明の一実施形態の平面的構成を示す図である。
【図２】本発明の一実施形態の側面的構成を示す図である。
【発明を実施するための形態】
【０００８】
本発明の実施形態は、図に示す如く、
ソーラーパネル１、バッテリー２、起動用コンプレッサー３、フライホイール４、増速機５、カムクラッチ（アクチュエータチェンでもよい）６、ヨーイングギア７、交流発電機８、同期発電用モータ（インバーター使用可能、超電導機磁石を用いた機器も使用可能）９、エアコンプレッサー１０、複数の空圧シリンダ１１、複数のエアータンク１２、電磁ソレノイド１３を備えている。
【０００９】
また、図中１４は支持枠体、１５は３個の錘、１６は錘の支持体である。上部の一対の空圧シリンダ１１が錘１５の支持体１６に衝撃を印加し、下部の二対の空圧シリンダ１１が錘１５に対し（あるいは支持体１６に対し）衝撃を印加する。空圧シリンダ１１は、まず支持体１６や錘１５の回転運動による力を受けて縮み（そのため先端に力を吸収するためのバネ１７を備えている）、その後に衝撃の印加を行う。その態様は、まずゆっくりと押し出し、最後に強く突き放すという動きとすることが好ましい。なお、この動作を行うため、バネ１７の諸元もそれに合わせたものを選定する。
【符号の説明】
【００１０】
１：ソーラーパネル
２：バッテリー
３：起動用コンプレッサー
４：フライホイール
５：増速機
６：カムクラッチ
７：ヨーイングギア
８：交流発電機
９：同期発電用モータ
１０：エアコンプレッサー
１１：空圧シリンダ
１２：エアータンク
１３：電磁ソレノイド
１４：支持枠体
１５：錘
１６：錘の支持体
１７：バネ
【先行技術文献】
【特許文献】
【００１１】
【特許文献１】特許第３２６６８３号公報
【図１】
2015074990.tif 000003
【図２】
2015074990.tif 000004
(57)【要約】【課題】本発明は、中央板部の変形を防止でき、他のシャッタースラットとの連結に不具合が生じることを回避できるシャッタースラットを提供することを目的とするものである。【解決手段】シャッタースラット１には、他のシャッタースラットと連結される第１及び第２インターロック部１１，１２と、第１及び第２インターロック部１１，１２から延びる第１及び第２脚部１３，１４と、第１脚部１３と第２脚部１４との間に設けられた中央板部１５とが設けられている。中央板部１５には、中央板部１５の長手方向１５ｂに沿って延在されたリブ１６が形成されている。【選択図】図１
2015074951.tif 000002
【特許請求の範囲】
【請求項１】
他のシャッタースラットと連結されることによりシャッターを構成するシャッタースラットであって、
前記他のシャッタースラットと連結される第１及び第２インターロック部と、
前記第１及び第２インターロック部から延びる第１及び第２脚部と、
前記第１脚部と前記第２脚部との間に設けられた中央板部と
を備え、
前記中央板部には、前記中央板部の長手方向に沿って延在されたリブが形成されている
ことを特徴とするシャッタースラット。
【発明の詳細な説明】
【技術分野】
【０００１】
本発明は、他のシャッタースラットと連結されることによりシャッターを構成するシャッタースラットに関するものである。
【背景技術】
【０００２】
一般に、シャッタースラットは、出入口や窓の間口方向に沿う長手状の部材であり、出入口や窓の高さ方向に沿って他のシャッタースラットと連結されることによりシャッターを構成するものである。
【０００３】
従来用いられていたこの種のシャッタースラットとしては、例えば下記の特許文献１等に示されている構成を挙げることができる。図２は、従来のシャッタースラット２を示す側面図である。図において、従来のシャッタースラット２には、他のシャッタースラットと連結される第１及び第２インターロック部２１，２２と、第１及び第２インターロック部２１，２２から延びる第１及び第２脚部２３，３４と、第１脚部２３と第２脚部２４との間に設けられた中央板部２５とにより構成されている。中央板部２５は平板状に形成されている。
【先行技術文献】
【特許文献】
【０００４】
【特許文献１】特開２０００−２０４８６１号公報
【発明の概要】
【発明が解決しようとする課題】
【０００５】
上記のような従来のシャッタースラットでは、中央板部が平板状に形成されているので、シャッタースラット単体を持ち運ぶ際及び風などの外力を受けた際に中央板部に撓みや壊れが生じることがある。中央板部に撓み又は壊れが生じると、他のシャッタースラットとの連結に不具合が生じる。
【０００６】
本発明は、上記のような課題を解決するためになされたものであり、その目的は、中央板部の変形を防止でき、他のシャッタースラットとの連結に不具合が生じることを回避できるシャッタースラットを提供することである。
【課題を解決するための手段】
【０００７】
本発明に係るシャッタースラットは、他のシャッタースラットと連結されることによりシャッターを構成するシャッタースラットであって、他のシャッタースラットと連結される第１及び第２インターロック部と、第１及び第２インターロック部から延びる第１及び第２脚部と、第１脚部と第２脚部との間に設けられた中央板部とを備え、中央板部には、中央板部の長手方向に沿って延在されたリブが形成されている。
【発明の効果】
【０００８】
本発明のシャッタースラットによれば、中央板部の長手方向に沿って延在されたリブが中央板部に形成されているので、中央板部の変形を防止でき、他のシャッタースラットとの連結に不具合が生じることを回避できる。
【図面の簡単な説明】
【０００９】
【図１】本発明の実施の形態１によるシャッタースラットを示す側面図である。
【図２】従来のシャッタースラットを示す側面図である。
【発明を実施するための形態】
【００１０】
以下、本発明を実施するための形態について、図面を参照して説明する。
実施の形態１．
図１は、本発明の実施の形態１によるシャッタースラット１を示す側面図である。図において、シャッタースラット１には、第１及び第２インターロック部１１，１２と、第１及び第２脚部１３，１４と、中央板部１５とが設けられている。第１及び第２インターロック部１１，１２は、シャッタースラット１の短手方向１ａに沿う両端に形成されたカール形状の部分である。シャッタースラット１は、これらの第１及び第２インターロック部１１，１２により他のシャッタースラットと連結される。なお、シャッタースラット１の短手方向１ａは、シャッタースラット１が他のシャッタースラットと連結されることにより構成されるシャッターの高さ方向である。
【００１１】
第１及び第２脚部１３，１４は、第１及び第２インターロック部１１，１２の端部から延出された平板である。中央板部１５は、第１及び第２脚部１３，１４間に設けられた板部である。中央板部１５には、中央板部１５の板厚方向１５ａに沿って突出された複数のリブ１６が形成されている。各リブ１６は、中央板部１５の長手方向１５ｂに沿って延在されている。
【００１２】
次に、実施例を挙げる。本発明者らは、発明例として、亜鉛−アルミニウム６％−マグネシウム３％のめっき層を有する板厚０．２７ｍｍの溶融めっき鋼板を素材として、図１に示すシャッタースラット１を製造した。リブ１６の高さ１６ａは０．５４ｍｍとし、リブ１６の頂部の幅１６ｂを２ｍｍとし、リブ１６間の幅１６ｃを１ｍｍとした。リブ１６間には１．６２ｍｍ（＝板厚の６倍）の半径を有する円弧面を形成している。また、比較例として、上記めっき層を有する板厚０．３ｍｍの溶融めっき鋼板を素材として、図２に示す従来のシャッタースラット２を製造した。発明例及び比較例の機械的特性の測定結果を下記の表１に示す。
【００１３】
【表１】
2015074951.tif 000003
【００１４】
発明例の板厚は比較例の板厚よりも１０％ほど薄い。しかしながら、撓みにくさを示すＥ・Ｉ（ｋＮｍｍ２）は、発明例の方が若干大きな数値となった。なお、ヤング係数Ｅは２．０５×１０５Ｎ／ｍｍ２である。また、壊れにくさを示すｆ・Ｚ（Ｎｍｍ）についても、発明例の方が大きな数値となった。これらの結果から、各中央板部１５にリブ１６を形成することで、中央板部１５の変形を防止でき、他のシャッタースラットとの連結に不具合が生じることを回避できることが確認できた。また、発明例の構成を採ることで、比較例よりも薄い素材を用いて比較例と同程度の耐力を得ることができ、シャッタースラットの軽量化を図ることもできる。
【００１５】
このようなシャッタースラット１では、中央板部１５の長手方向１５ｂに沿って延在されたリブ１６が中央板部１５に形成されているので、中央板部１５の変形を防止でき、他のシャッタースラットとの連結に不具合が生じることを回避できる。また、従来構成よりも薄い素材を用いて従来構成と同程度の耐力を得ることができ、シャッタースラットの軽量化を図ることもできる。
【符号の説明】
【００１６】
１  シャッタースラット
１１，１２  第１及び第２インターロック部
１３，１４  第１及び第２脚部
１５  中央板部
１６  リブ
【図１】
2015074951.tif 000004
【図２】
2015074951.tif 000005
(57)【要約】【課題】  大量に入っている容器の中の物を他の容器に移すとき、容器を傾ける動作と労力を軽減するために、容器の側面の一部にＵ字の型に開口部を設けたＵ字口のある容器を提供する。【解決手段】  容器の側面の一部に、底辺をつなげつつＵ字型に切り取り、切り取った型の部分を蓋とし、本体と蓋の両側に扇状の蛇腹を開閉できるように設置し、蓋を収納する時蛇腹が容器の本体と蓋の間に収まるよう、蛇腹の厚み考慮したＵ字口のある容器。【選択図】図１
2015074498.tif 000002
【特許請求の範囲】
【請求項１】
容器の側面にＵ字の形に底辺をつなげつつ右側と左側から切込みを入れ、Ｕ字に切り取った部分を蓋とし、その右側と左側の扇状の蛇腹を設置し、容器本体の右側左側に接続し、蓋を閉じたとき蛇腹が収納できるようにしたＵ字口のある容器。
【発明の詳細な説明】
【技術分野】
【０００１】  本発明は、容器の中の物を容易に出すことのできる容器の側面の一部に、Ｕ字形状の注ぎ口がある容器に関するものである。
【背景技術】
【０００２】  従来、大きな容器に物を入れ水洗などの処理をした後に、他の容器に移すときには容器を傾けなければならなかった。
また、容器の大きさと大量に入れた中身の重みと、傾ける動作により、物を外にこぼしたり、確実に他の容器に移すことが難しく、体に負担がかかっていた。
【先行技術文献】
【特許文献】
【０００３】
【特許文献１】  特開２００５−５９４号公報
【特許文献２】  実開平６−１５４５５号公報
【特許文献３】  実開平５−９５８４８号公報
【特許文献４】  登録実用新案第３００６９６９号公報
【発明の概要】
【発明が解決しようとする課題】
【０００４】（イ）容器本体の大きさが大きくなるほど、また、中身の量も多かったりすると重力が加    算され、労力と体力を要し、身体への負担が大きかった。
（ロ）容器の口が広いと容器を傾けたとき、容器の淵から外に中のものがこぼれ落ちてし    まっていた。
本発明は、以上の問題点を解決するためになされたものである。
【課題を解決するための手段】
【０００５】  容器本体（１）の側面の一部にＵ字形状の開口部（２）を設け、開口部（２）に伸縮自在に扇状に開閉できる蛇腹（３）を設け、蛇腹（３）に注ぎ口（４）を設けたことを特徴とするＵ字口のある容器。
【発明の効果】
【０００６】（イ）蛇腹を自在に開閉できるので、Ｕ字口を閉じておけば、従来の容器として使用でき    る。
（ロ）容器に入ったものを他の容器に移そうとしたとき、蛇腹の注ぎ口より、たとえば、    水などを簡単に注げるので、労力体力が軽減される。
（ハ）扇形の蛇腹で、水などが誘導されるので、外にこぼれ落ちるのを防げる。
【図面の簡単な説明】
【０００７】
【図１】  容器の本体に扇状の蛇腹を設けた斜視図である。
【発明を実施するための形態】
【０００８】  以下、本発明の実施するための形態を説明する。
円筒や四角い形の容器本体（１）の側面の一部にＵ字形状の開口部（２）を設ける。
開口部（２）に伸縮自在に扇状に開閉できる蛇腹（３）を設ける。
蛇腹（３）に注ぎ口（４）を設ける。
以上のように構成されたＵ字形状の注ぎ口がある容器である。
蛇腹を自在に開閉できるので、Ｕ字口を閉じておけば、従来の容器として使用できる。
容器に入ったものを他の容器に移そうとしたとき、蛇腹の注ぎ口より、たとえば、水などを他の容器に簡単に注げる。
扇形の蛇腹で、水などが誘導されるので、外にこぼれ落ちるのを防げる。
【符号の説明】
【０００９】１  容器本体
２  Ｕ字形状の開口部
３  蛇腹
４  注ぎ口
【図１】
2015074498.tif 000003
(57)【要約】【課題】自動車やトラックなどに荷物やバッテリーなどを乗せると燃費が悪くなります。【解決手段】鉄板に強力磁石を取り付けて、その上にアルミ板に強力磁石を取り付けた物を乗せる。磁石の反発作用を活用して強力磁石を取り付けたアルミ板を浮かせ最低４ヶ所はボルトを入れてナットではずれないようにして、荷物などを上に乗せると重力が磁石の反発作用で軽減され自動車やトラックの燃費が向上する。今後、電気自動車に大量にバッテリーを乗せる場合でも部分的に装置を取り付け燃費の向上が見込めます。【選択図】図１
2015074438.tif 000002
【特許請求の範囲】
【請求項１】
自動車やトラックなどに乗せる物質の重量を軽減させる装置（電気自動車、ハイブリッドを含む）（荷台以外のエンジンルームなど車内も含む）
【発明の詳細な説明】
【技術分野】
【０００１】本発明は、荷物などの重量の軽減をする装置に関する。
【背景技術】
【０００２】従来は荷台に荷物を置いただけです
【発明の概要】
【発明が解決しようとする課題】
【０００３】荷物などの重量を軽減して自動車やトラックの燃費をよくする。
【課題を解決するための手段】
【０００４】本発明は、強力磁石の反発作用を利用して荷台などを浮かせて荷物や電気自動車のモーターやバッテリーなどの重量を軽減する。【０００５】事故などの問題が発生しないようにボルトで止める。
【発明の効果】
【０００６】強力磁石の反発作用により荷物やモーターやバッテリーなどの重量を軽減して電気自動車やトラックなどの燃費がよくなる
【図面の簡単な説明】
【０００７】
【図１】トラックの荷台に装置を取り付けた時の外観図
【図２】強力磁石を鉄板に取り付けボルト用穴をあけた図（下用）
【図３】強力磁石を鉄板に取り付けボルト用穴をあけた図（上用）
【図４】組み立てた重量の軽減をする装置を横から見た図
【図５】鉄板にボルト用穴をあけた図
【図６】アルミ板にボルト用穴をあけた図
【発明を実施するための形能】
【０００８】以下、本発明の実施の形態を図１〜図６に基づいて説明する
【０００９】図５に強力磁石を取り付ける（下用）
【００１０】図５に図６を乗せ図５の下側に強力磁石を取り付ける（上用）
【００１１】下用と上用を重ねてボルトを入れたのが図４です
ボルトの下はナットにより固定する。（少しあそびはつくる）
【００１２】図４の製品を図１に取り付けて完成です。
電気自動車の動力モーターやバッテリも応用して乗せる事が可能です。
【図１】
2015074438.tif 000003
【図２】
2015074438.tif 000004
【図３】
2015074438.tif 000005
【図４】
2015074438.tif 000006
【図５】
2015074438.tif 000007
【図６】
2015074438.tif 000008
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
この発明は自動車・電車・エレベーター・ロケット・台車・電気自動車・ゴーカート・飛行機の内部で浮かせて問題がない部分は強力磁石の反発作用を活用して重量を軽減する装置であり、トラックやトレーラーの荷台も強力磁石の反発作用を活用して重量を軽減する装置です。
船の内部も強力磁石の反発作用を活用して浮かせる事も可能ですが、湿度が高いと磁石がサビてダメになるので除湿できない場合は不可、磁石は重量に合わせ問題がない事を計算して活用する装置
(57)【要約】【課題】  本発明は、タンク内の油液がスロッシングにならないように、油液を渦巻き状にするようにした、スロッシング発生防止装置のタンクを提供する。【解決手段】  タンクの底部に、稍弓形のプロペラを設け、前記プロペラをネジ状の電動回転軸に設け、前記回転軸のネジ山に形成したプロペラを右回転するように設け、タンク内の油液を渦巻き状にすることを特徴とするスロッシング発生防止装置のタンク。【選択図】図１
2015074501.tif 000002
【特許請求の範囲】
【請求項１】
タンクの底部に稍弓形のプロペラを設け、前記プロペラをネジ状の電動回転軸に設け、前記回転軸のネジ山に形成した、プロペラを右回転するように設け、タンク内の油液を渦巻き状にすることを特徴とするスロッシング発生防止装置のタンク。
【発明の詳細な説明】
【技術分野】
【０００１】  本発明は、タンク内の油液がスロッシンクにならないように、油液を渦巻き状にするようにしたスロッシング発生防止装置のタンクに関するものである。
【背景技術】
【０００２】従来製油所で原油精製物ナフサ  タンク内の液面に蓋をする浮き屋根装置であった。
【発明の概要】
【発明が解決しようとする課題】
【０００３】  そのために、次のような問題点があった。
（イ）タンク内の油液面に浮かべて蓋をする浮き屋根が揺れ、付属設備とぶつかるなど        して出た火花が油に引火して大火災を起していた。
（ロ）火災を機に全国で千基以上の同一タンクがあり、消防庁は早く計画的に進めてほ        しいと言われていた。
本発明は、以上の問題点を解決しようとするものである。
【課題を解決するための手段】
【０００４】  タンクの底部に稍弓形のプロペラを設け前記プロペラを、ネジ状の電動回転軸に設ける。前記回転軸のネジ山に形成した、プロペラを右回転するように設け、筒内の油液を渦巻き状にする。以上を特徴とするスロッシング発生防止装置タンクである。
【発明の効果】
【０００５】  本発明は、地震のゆれにより、自動的に一箇所のスイッチが開き全体のタンクに電流が流れる装置にして有るので、油液が渦巻状になり、上方に波立つことは実験の結果皆無であることが判明している。
また、回転操作の調節は、鳴門海峡の渦巻きが状態が適して、波立つことなく、タンクの安全性を保つことができるという効果を発揮するものである。
【図面の簡単な説明】
【０００６】  第１図ないし第２図は、いずれもこの考案の実施例を示す斜視図である。
【図１】  本発明の実施形態を示すスロッシング防止装置の一部欠き
【図２】  本発明のタンクと従来タンクの比較に於ける一部欠き斜視図
【発明を実施するための最良の形態】
【０００７】以下、本発明の実施の形態を図１〜図２に基づいて説明する。
（イ）図１においては、タンク本体（２）の油液を回転するプロペラ（５）をナット（３      ）で締め上げ、タンク本体（２）の中心部底において、プロペラ（５）を回転する      。
（ロ）回転軸（４）のネジ山にプロペラ（５）を設け、右回転するように形成されている      。
（ハ）渦巻状（１）が下降線を辿るにより渦巻状（１）の中心部が凹み状になり、波立つ      することがない。左右矢印は、地震の横揺れを示すものである。
本発明は、以上の構成によりなっている。
（ニ）図２においては、波立つ防止のために浮き屋根（６）を設けているが、強震のため      に起る油液面の揺動には、何等の効果もなく、現在に於いては地震による対策とし      て、タンク一本に半量の油液を入れている現状である。
本発明は、上述の図解説明の如くプロペラの右回り回転により渦巻き状が下方向となり渦の中心部が急回転により、凹みをなし、上方へ波立つことはなかったのである。この原理は、竜巻の左廻り回転により、上方へ渦巻くのが気象庁によりテレビ画面に図解説明されている。この異常気象をヒントにして、タンク内の油液が外部に流れ出ないようにしたものである。
【発符号の説明】
【０００８】  １    下降線
１ａ  上方線
２    タンク本体
３    ナット
４    回転軸
５    プロペラ
６    浮き屋根
【図１】
2015074501.tif 000003
【図２】
2015074501.tif 000004
(57)【要約】【課題】容器中の調味料は湿気を吸収し固たり、ベタベタ状態になります。香辛料などは色、香りも失い風味を損なってしまいます。本発明は、湿気対策に対応した砂時計式調味料入れを提供する。【解決手段】砂時計型の容器を設け、上室と下室の間のくびれ部に通路穴を設け、通路穴を開け閉めする開閉棒を設ける。調味料が出る振り出し穴の蓋は調味料に応じた穴型を設け穴と相対する位置に突起の密閉蓋を設ける。【選択図】図１
2015074502.tif 000002
【特許請求の範囲】
【請求項１】
容器中に２つの室を設け、中央のくびれ部に通路穴を設ける。上室の上蓋にろくろ通路穴と調味料の投入口を設けた砂時計式調料入れ。
【請求項２】
開閉棒の頭部にハンドル、上部にはじきと、下先に穴塞ぎキャップを設けた請求１の砂時計式調味料入れ。
【請求項３】
下蓋の振り出し穴に相対する突起付き密閉蓋を設けた請求２の砂時計式調味料入れ。
【発明の詳細な説明】
【技術分野】
【０００１】  本発明は、湿気などから調味料を守るために１空間中に２つの室を備えた砂時計式調味料入れに関するものである。
【背景技術】
【０００２】  従来、調味料の瓶容器は１室の容器中に調味料を入れ、振り出し穴に蓋を被せているのが一般的に多いです。
【先行技術文献】
【特許文献】
【０００３】
【特許文献１】  特開平７−３３００４１号公報
【発明の概要】
【発明が解決しようとする課題】
【０００４】  容器中の調味料は湿気を吸収し固たりベタベタ状態になります。香辛料は色、香りも失い風味を損なってしまいます。本発明は以上の問題点を解決するものである。
【課題を解決するための手段】
【０００５】  砂時計型の容器を設け、上室と下室の間のくびれ部に通路穴と、通路穴を開け閉めする開閉棒を設ける。下蓋の振り出し穴は調味料に応じた穴型を設け、穴と相対する位置に突起付き密閉蓋を設ける。
以上の構造よりなる砂時計式調味料入れ。
【発明の効果】
【０００６】  容器中の室を上下に２つに分け、上室に調味料を入れ、下室に使用する分量の調味料を落とすことで湿気の原因である空気にふれにくくなる。下蓋の振り出し穴は調味料に応じた穴型の種類を設ける。蓋は着脱可能のため容器は様々な調味料入れとして使い回しができる。
【図面の簡単な説明】
【０００７】
【図１】
【発明を実施するための形態】
【０００８】  以下、本発明の実施の形態を説明する。
（イ）砂時計式容器（１）に通路穴（４）と開閉棒（５）を設け開閉棒（５）の上部にはじき（６）下先に穴塞ぎキャップ（７）頭部に着脱可能のハンドル（８）を設ける。
（ロ）上蓋（９）に調味料を投入する為の投入Ｄ（１０）を設け、上蓋（９）の内側の中心部にろくろ通路穴（１１）を設け上蓋に被せ蓋（１２）を装着する。
（ハ）下蓋（１３）には調味料に応じた振り出し穴（１４）を設け穴の大きさに相対する置に突起付き密閉蓋（１５）を設け下室（３）側面に装着する。
本発明は以上のような構造である。
【実施例】
【０００９】  本発明を使用するときは、砂時計式容器（１）の下室（３）から開閉棒（５）を挿入する。通路穴（４）から、ろくろの通路穴（１１）を通り上蓋（９）まで貫通した開閉棒（５）の頭部にハンドル（８）を取り付ける。上蓋（９）に被せ蓋（１２）を装着する。下蓋（１３）と突起付き密閉蓋（１５）を１セットとし下室（３）の側面に装着する。開閉棒（５）の下先の穴塞ぎキャップ（７）がくびれ部の通路穴（４）を塞いでいる事を確認し上蓋（９）の投入口（１０）を開け調味料を投入し、投入口を閉じる。開閉棒（５）のハンドル（８）を下にクイックすると上部のはじき（６）がろくろ（１１）とかみ合ストッパーが外れ、通路穴（４）が開き上室（２）に投入した調味料が下室（３）に落ちる。目安の分量が落ちたらハンドル（８）を上に引くことでストッパーがロックされ、通路穴（４）が塞がる。下蓋（１３）の突起付き密閉蓋（１５）を開け、上下に振ることで下室（３）の中の調味料が出てくる。
振り出し穴（１４）は調味料に応じた形で、穴と突起部とが相対する突起付き密閉蓋（１５）である。
上蓋（９）、下蓋（１３）とも脱着可能で、容器も手入れがしやすい。
下蓋（１３）の振り出し穴（１４）の型を数種類設け、容器に入れる調味料に応じて下蓋（１３）を交換することで他の種類の調味料にも対応できる。
【符号の説明】
【００１０】（１）砂時計式容器、（２）上室、（３）下室、（４）通路穴、（５）開閉棒、（６）はじき、（７）穴塞ぎキャップ、（８）ハンドル、（９）上蓋、（１０）投入口、（１１）ろくろ通路穴  （１２）被せ蓋、（１３）下蓋、（１４）振り出し穴、（１５）突起付き密閉蓋
【図１】
2015074502.tif 000003
【図２】
2015074502.tif 000004
【図３】
2015074502.tif 000005
【図４】
2015074502.tif 000006
【手続補正書】
【提出日】平成25年12月6日(2013.12.6)
【手続補正１】
【補正対象書類名】明細書
【補正対象項目名】０００７
【補正方法】変更
【補正の内容】
【０００７】
【図１】本発明の全体の斜視図
【図２】本発明の使用中において、突起付き密閉蓋を開けて中の調味料を取り出している状態を示す斜視図
【図３】本発明の一部である開閉棒が引き上げられて、通路穴を穴塞ぎキャップによって塞いでいる状態を表す一部拡大斜視図
【図４】本発明の一部である上蓋と下蓋及び突起付き密閉蓋の構造を分かりやすく表した斜視図
(57)【要約】【課題】印紙や切手等を貼る際に、水分が必要なる【解決手段】朱肉ケースの蓋の表や裏に、蓋の付いたスポンジケースを貼り付けることにより、舌で舐めて貼り付けることがなくなる。【選択図】図１
2015074219.tif 000002
【特許請求の範囲】
【請求項１】
朱肉ケースに蓋の付いたスポンジケースを取り付けることにより、スポンジに水分を補給し、印紙や切手を貼る際に、水分をスポンジから使用し、舌でなめることを防げる。
【発明の詳細な説明】
【発明の概要】
【発明が解決しようとする課題】
【０００１】
切手・印紙等を書類に貼り付ける際に水分が必要になるが、切手・印紙等を舌で舐めることをやめたい
【課題を解決するための手段】
【０００２】
切手・印紙等を書類に貼り付ける際に水分が必要になるが、切手・印紙等を舌で舐めて貼り付けることがないように、水分補給のスポンジを朱肉ケースの蓋の裏や表面に取り付けて携行すれば舐めることが防げる。
スポンジのケースは開閉できる簡単な蓋を持ち、ケース自体も朱肉の蓋に作った溝にはめたり、はずしたりもできる。
【発明の効果】
【０００３】
営業事務をする際には、印紙を貼る作業、切手を貼る作業があり、独立したスポンジを持ち歩くのは大きく重たく不便である。
朱肉ケースの裏にはめ込んだり、ケースの表にはめ込んだりして携行すれば、便利で切手・印紙等を舌で舐めたりしないで済む。
【図面の簡単な説明】
【０００４】
【図１】朱肉ケースの朱肉は、通常よりも少しそこの位置に近い位置に置く。朱肉ケースの蓋の裏側に水分を含めるために蓋を付けたスポンジケースを付ける。朱肉ケースにスポンジケースをつけるための溝を作り、その部分にはめ込めるようにする。スポンジケースは朱肉ケースの蓋の表側に取り付けてもよい。スポンジが乾いたときにスポンジに水分を補給しておｌく。そうして朱肉とスポンジの両方を携行する
【図１】
2015074219.tif 000003
(57)【要約】【課題】  本発明は、賞状入れを横から開閉して、賞状、お免状等を出し入れするもので、さらに、外側を装飾紙を貼って、誰の賞状か、何時の、何が入っているかを、わかりやすくし、また、たとえば、色々な御稽古ごとの免状などを入れる物として、流派を限定し、他の流派と区別化する独自の文様の和紙、布地を貼ることができる横に開けられる賞状入れを提供する。【解決手段】  賞状入れ本体（１）の筒の中心を縦割りし、賞状入れ（３）とフタ（２）に分割し、賞状入れ（３）とフタ（２）は、横から開閉できるように、蝶番、またはテープ（７）を設け、フタ（２）に留め具（５ａ）を設け、賞状入れ（３）に留め具（５ｂ）を設け、賞状入れ（３）の内側にすべり留め（６）を設け、賞状入れ本体（１）の筒の両端の円形の部分に、中身がわかるように名前などの記載欄（４）を設けたことを特徴とする横に開けられる賞状入れ。【選択図】図１
2015074223.tif 000002
【特許請求の範囲】
【請求項１】
賞状入れ本体（１）の筒の中心を縦割りし、賞状入れ（３）とフタ（２）に分割し、賞状入れ（３）とフタ（２）は、横から開閉できるように、蝶番、またはテープ（７）を設け、フタ（２）に留め具（５ａ）を設け、賞状入れ（３）に留め具（５ｂ）を設け、賞状入れ（３）の内側にすべり留め（６）を設け、賞状入れ本体（１）の筒の両端の円形の部分に、中身がわかるように名前などの記載欄（４）を設けたことを特徴とする横に開けられる賞状入れ。
【発明の詳細な説明】
【技術分野】
【０００１】  本発明は、賞状入れを横から開閉して、賞状、免状等を出し入れするもので、さらに、外側を装飾紙を貼って、誰の賞状か、何時の、何が入っているかを、わかりやすくし、また、たとえば、色々な稽古ごとの免状などを入れる物として、流派を限定し、他の流派と区別化する独自の文様の和紙、布地を貼ることができる横に開けられる賞状入れに関するものである。
【背景技術】
【０００２】  従来、賞状入れは、丸い筒状の上部の蓋を開けて、賞状を丸めて入れていた。
従来から、賞状入れの色は、黒の系統のものが一般的であった。
従来の賞状入れが、同じ色形のものなので、あとで、必要な賞状探すとき、何の賞状か判らなくなり、いちいち筒から出して確かめていた。
従来から、賞状入れの色が、黒の系統だけではなく、カラフルにすることで、誰の賞状で、何時の、何の賞状かわかりやすくしたい、といった要望があった。
【先行技術文献】
【特許文献】
【０００３】
【特許文献１】  特開２００４−３３１２１５号公報
【特許文献２】  特開平１１−１８０４７０号公報
【発明の概要】
【発明が解決しようとする課題】
【０００４】  従来より、次の様な問題点があった。
（イ）上から出し入れをする賞状入れは、使いにくく、また、同じ形の同じ色のものは、    いちいち片端から開けて取出して確認しなければならず非常に面倒であった。
（ロ）従来、賞状は、丸い筒に丸めて入れていて、中身を取り出して確認するとき、面倒    だった。
（ハ）賞状を筒型の賞状入れから取出す時、賞状入れは、みんな、同じ色、同じ形なので    片端から取出して確かめなければならず大変面倒であった。
（ニ）賞状を出し入れしているうちに破けたり、破損しそうになった。
本発明は以上の問題点を解決しようとするものである。
【課題を解決するための手段】
【０００５】  賞状入れ本体（１）の筒の中心を縦割りし、賞状入れ（３）とフタ（２）に分割し、賞状入れ（３）とフタ（２）は、横から開閉できるように、蝶番、またはテープ（７）を設け、フタ（２）に留め具（５ａ）を設け、賞状入れ（３）に留め具（５ｂ）を設け、賞状入れ（３）の内側にすべり留め（６）を設け、賞状入れ本体（１）の筒の両端の円形の部分に、中身がわかるように名前などの記載欄（４）を設けたことを特徴とする横に開けられる賞状入れ。
【発明の効果】
【０００６】（イ）賞状を出したいとき、横開けなので手に取って留め具を外すだけで、簡単に出し入れできる。
（ロ）賞状入れの本体（１）を横から開けて、賞状（８）の出し入れをしやすくし、名前などの記載欄（４）を設けることにより、賞状の種類、誰の物かわかりやすくなった。
（ハ）容れ物の中に滑り止めを付けたことで、留め具を外して開けたとき、賞状が飛び出さない。
容れ物の外側をカラーや絵を描いたり、和紙、千代紙、で貼ることで誰の物か沢山重ねてあってもすぐ判る。
（ハ）また、格調高さを表す和紙、布地を貼ることで、色々な流派や団体や様々な会のお免状を入れる賞状入れを特定することもでき、誰の、何時の、何の賞状かわかりやすくした。
【図面の簡単な説明】
【０００７】
【図１】  本発明の斜視図である。
【図２】  本発明の使用状態を示した斜視図である。
【図３】  本発明の使用状態を示した斜視図である。
【発明を実施するための形態】
【０００８】  賞状入れ本体（１）の筒の中心を縦割りし、賞状入れ（３）とフタ（２）に分割する。
賞状入れ（３）とフタ（２）は、横から開閉できるように、蝶番、またはテープ（７）を設ける。
フタ（２）に留め具（５ａ）を設ける。
賞状入れ（３）に留め具（５ｂ）を設ける。
賞状入れ（３）の内側にすべり留め（６）を設ける。
賞状入れ本体（１）の筒の両端の円形の部分に、中身がわかるように名前などの記載欄（４）を設ける。
本発明は以上のような構造である。
賞状入れを縦に割る形で、それを切り離してから片方を蝶番、またはテープ（７）で開閉できるようにして、さらに、開閉を閉じる留め具（５ａ）、留め具（５ｂ）をつける。
容れ物の中に丸めた賞状を入れたとき、戻って飛び出さないようにすべり留め（６）をつける。
賞状入れ（３）、フタ（２）の表面は、色を塗ったり、絵を描いたり、和紙や千代紙を貼ったり、茶道、華道、書道、舞踊、武道、等等、あらゆる流派を表す独自の格調高さをアピールする布地を貼って仕上げる。
それは、その流派を表す物となり、他の流派と区別化するものとなる。
賞状入れ本体（１）の筒の両端に、収納時に幾つも重ねても見えやすいところにメモを貼り、誰の、何時の、何の賞状かを書き込めるとうにする。
本発明の使い方を説明する。
本発明は、賞状入れを横から開閉して賞状、免状等の出し入れをする。
収納時に幾つも重ねてもわかるように、両端の名前などの記載欄（４）に、中身が、誰の、何時の、何の賞状かを書く。
その上、従来の一色ではなく、カラフルにすることで、誰の、何時の、何の賞状かを一目瞭然にわかるようにした。
また、色々な御稽古ごとの免状等を入れる物として、流派を限定し、他の流派と区別化する独自の文様の和紙、布地を貼る。
【符号の説明】
【０００９】    １  賞状入れ本体
２  フタ
３  賞状入れ
４  名前などの記載欄
５ａ  留め具
５ｂ  留め具
６  すべり止め
７  蝶番、またはテープ
８  賞状
【図１】
2015074223.tif 000003
【図２】
2015074223.tif 000004
【図３】
2015074223.tif 000005
(57)【要約】【課題】本発明は、市販のカードを守る、保護袋の角を丸くする事により、使用時に手にささり痛くない様にする事を目的とし、見た目のイメージも従来の保護袋より保護袋使用しない場合に近い保護袋を提供する。【解決手段】カードぴったりフィット袋（１）において、カードぴったりフィット袋（１）にシール部（２）、シール部（３）、シール部（４）、角Ｒシール部（５）、角Ｒシール部（６）、角Ｒカット部（７）、角Ｒカット部（８）、を設け、シール部（２）、シール部（３）、シール部（４）、袋下部に角Ｒシール部（５）、角Ｒシール部（６）、を設け、袋上部に角Ｒカット部（７）、角Ｒカット部（８）、を設けた、カードぴったり袋。【選択図】図１
2015074225.tif 000002
【特許請求の範囲】
【請求項１】
カードぴったりフィット袋（１）において、カードぴったりフィット袋（１）にシール部（２）、シール部（３）、シール部（４）、角Ｒシール部（５）、角Ｒシール部（６）、角Ｒカット部（７）、角Ｒカット部（８）、を設け、シール部（２）、シール部（３）、シール部（４）、袋下部に角Ｒシール部（５）、角Ｒシール部（６）、を設け、袋上部に角Ｒカット部（７）、角Ｒカット部（８）、を設けた、カードぴったり袋。
【発明の詳細な説明】
【技術分野】
【０００１】  本発明は、市販のカードに使用するカード保護袋に関するものである。
【技術背景】
【０００２】  従来、市販のカードに使用する保護袋としては、カードスリーブプロテクターとして、各メーカーが、メーカー独自のカードに合うサイズの保護袋として販売を行っております。保護袋の目的としては、使用時、保管時に自身のカードにキズ、折れ等が付かない様に保護袋を被せ、その保護袋がまたキズが付かない様に２重、３重、４重と何回重ね合わせ、カードの保護を行っております。
【０００３】  本発明は、市販のカードを守る、保護袋の角を丸くする事により、使用時に手にささり痛くない様にする事を目的とし、見た目のイメージも従来の保護袋より、保護袋使用しない場合に近い保護袋を提供する。
【先行技術文献】
【０００４】
【特許文献１】特許公開２００２−６２８０７
【特許文献２】特許公開２００８−８０７０５
【特許文献３】特許公開２００８−１３１９７６
【発明の概要】
【発明が解決しようとする課題】
【０００５】  カードは、カードの角が直角ではなく、４つ角を丸くした形状の物が多く販売されており、市販の保護袋を使用した場合カードと保護袋の形が違う為、挿入後の保護袋の角が、出てしまうことになり手に当たると痛く、使い勝手が悪かったので、使用時に手に当たっても痛くない、保護袋の開発が望まれていた。
【課題を解決する為の手段】
【０００６】  カードぴったりフィット袋（１）において、カードぴったりフィット袋（１）にシール部（２）、シール部（３）、シール部（４）、角Ｒシール部（５）、角Ｒシール部（６）、角Ｒカット部（７）、角Ｒカット部（８）、を設け、シール部（２）、シール部（３）、シール部（４）、袋下部に角Ｒシール部（５）、角Ｒシール部（６）、を設け、袋上部に角Ｒカット部（７）、角Ｒカット部（８）、を設けた、トカードぴったり袋。
【発明の効果】
【０００７】  以上説明した様に本発明によればシール部（２）、シール部（３）、シール部（４）、に角Ｒシール部（５）、角Ｒシール部（６）、角Ｒカット部（７）、角Ｒカット部（８）、を設けることにより市販のカードを挿入した際にカードの形の通りの保護袋を提供することが可能である。
【図面の簡単な説明】
【０００８】
【図１】本発明の表面図である。
【図２】本発明にカードを挿入した状態を表した側面図である。
【図３】本発明にカードを挿入した状態を表した表面図である。
【図４】従来の保護袋にカードを挿入した状態を表した表面図である。
【発明を実施するための形態】
【０００９】  以下、図面を用いて本発明の実施の形態を説明する。
カードぴったりフィット袋（１）において、カードぴったりフィット袋（１）にシール部（２）、シール部（３）、シール部（４）、角Ｒシール部（５）、角Ｒシール部（６）、角Ｒカット部（７）、角Ｒカット部（８）、を設け、シール部（２）、シール部（３）、シール部（４）、袋下部に角Ｒシール部（５）、角Ｒシール部（６）、を設け、袋上部に角Ｒカット部（７）、角Ｒカット部（８）、を設けた、カードぴったり袋。
【００１０】  図１は本発明の表面図を表した図である。
本発明は、シール部（２）、シール部（３）、シール部（４）、に角Ｒシール部（５）、角Ｒシール部（６）、角Ｒカット部（７）、角Ｒカット部（８）、を設けることにより市販のカードを挿入した際にカードの形と同様の形状になる。
【００１１】  図２は本発明にカードを挿入した状態を表した側面図である。
本発明は、２枚のポリエチレンシートを合わせシール部（２）、シール部（３）、シール部（４）、を熱によりシールすることにより図１の形状を形成し、図２が示す様に、２枚のポリエチレンのシートの間にカード（９）を挿入した際に、図３が示す様にカード（９）は本発明と同様の形状になる。
【００１２】  図４は従来の保護袋にカードを挿入した状態を表した表面図である。
シール部（２）、シール部（３）、シール部（４）、に角Ｒシール部（５）、角Ｒシール部（６）、角Ｒカット部（７）、角Ｒカット部（８）、を形成しない場合の挿入時の図を表したものである。
【産業上の利用の可能性】
【００１３】  従来、各メーカーが販売を行っているカードは、コレクション性が高く各メーカーの戦略でプレミア性のあるカードも販売されており、それらのカードを保護する保護袋が、販売される様になってきました。現在販売されている保護袋は、保護袋にカードを挿入し、更に２重、３重、４重、５重と重ね、袋を保護する袋が販売されています。現在販売されている保護袋は、図４の様に４つの角が直角になっているものが主流である。現時点では、４つ角が直角になっている保護袋を使用し、カードの保護を行っておりますが、使用時に４つ角が手に当たり使用時に角が突起物となり、手を痛めることにもなりました。今後、本発明を使用すれば、手を痛めることもなく、カードを使用することが可能になった。
【符号の説明】
【００１４】１  カードぴったりフィット袋
２  シール部
３  シール部
４  シール部
５  角Ｒシール部
６  角Ｒシール部
７  角Ｒカット部
８  角Ｒカット部
９  カード
【図１】
2015074225.tif 000003
【図２】
2015074225.tif 000004
【図３】
2015074225.tif 000005
【図４】
2015074225.tif 000006
(57)【要約】      （修正有）【課題】画鋲の安全性の確保及び被固定面に画鋲挿入後の保持力を向上させる。【解決手段】ピン先端部を確実に保護するピン３よりも大きな開口部４を有するカバー部２と弾性復元力のある素材を使用した折り曲げ部５と一体化したピン頭部６にて画鋲１を構成する。【選択図】図１
2015074224.tif 000002
【特許請求の範囲】
【請求項１】
ピン先端部を確実に保護する形状にてカバー部開閉の妨げにならない様開口部を有したカバー部と、カバー部を頭部側に適度な力で折り曲げることが可能な溝構造を有する折り曲げ部と頭部、ピンにて形成されている事を特徴とする画鋲。
【請求項２】
前記折り曲げ部部材は、弾性復元力若しくは屈曲変形可能な樹脂材により構成されていることを特徴とする、請求項１記載の画鋲。
【発明の詳細な説明】
【技術分野】
【０００１】  本発明は、壁などに紙を止めるために使用する画鋲に関するものである。
【背景技術】
【０００２】  従来より市販されている画鋲は、ピンがむき出しになっているものが多く利用されている。
安全を考慮したものでは、使用時に、ピンの保護カバーがスライドして使用するものがある。
【先行技術文献】
【特許文献】
【０００３】
【特許文献１】  特開平１１−２０８１９２
【発明の概要】
【発明が解決しようとする課題】
【０００４】  ピンの保護カバーは付いているが容易にカバーがスライドする為取り扱いには、注意を要する。【０００５】  未使用時、使用時共に安全に取り扱いが出来尚且つ使用時のピン保持力を向上させる事を目的としている。
【課題を解決するための手段】
【０００６】  上記課題を達成するために本発明は、容易に外れる事の無いピンよりも大きな開口部を要するカバー部と弾性復元力のある素材を使用した折り曲げ部と一体化したピン及び頭部にて構成する。
【発明の効果】
【０００７】  未使用時、使用時におけるピン先端部による危険防止。【０００８】  使用時には折り曲げ部による弾性復元力をピンの摩擦抵抗に変換する構造を有する為、画鋲本来の物を固定する機能が向上する。【０００９】  構造が簡単な為、小型で安価な安全画鋲が提供できる。
【図面の簡単な説明】
【００１０】
【図１】本発明の斜視図
【図２】本発明の使用可能時の斜視図
【図３】本発明の平面図
【図４】本発明の正面図
【図５】本発明のカバー部可動状況を示した正面図
【図６】本発明のピンが被固定面に挿入された状態にて、弾性復元力及び摩擦抵抗力の方向を示した正面図
【発明を実施するための形態】
【００１１】  以下、本発明の実施形態を説明する。
【００１２】  カバー部２は、ピン先端部を確実に保護する形状とする。カバー部２は開閉の妨げにならない様ピン３よりも大きい開口部４を有する構造とする。図４
【００１３】  折り曲げ部５は、カバー部２と頭部６との間に位置し適度な力で折り曲げられる切り込み状の溝構造とする。図１  また素材はプラスチック樹脂等の弾性復元力を有するものとし、使用時  図２の状態で被固定面に挿入する事によって  図６折り曲げ部５が起点となり頭部６、カバー部２の復元力６，７の方向に力が作用することにより、ピン３が被固定面内部にて８，９の方向に力を生じる事になり摩擦抵抗力が生じる。よって画鋲１自体の保持力が上昇する。
【図１】
2015074224.tif 000003
【図２】
2015074224.tif 000004
【図３】
2015074224.tif 000005
【図４】
2015074224.tif 000006
【図５】
2015074224.tif 000007
【図６】
2015074224.tif 000008
(57)【要約】【課題】    本発明の目的は、不用配管を簡易且つ迅速に覆い隠すことができる不用配管の埋没方法を提供するものである。【解決手段】    不用配管の埋没方法は、地中に埋没した不用配管１の内方に回転刃２を挿入し、不用配管１の先端が地面Ｇより低い位置になるように切断し、切断後、切断した不用配管１の先端が地中に埋没するように充填材５を充填して不用配管１を覆い隠すものである。【選択図】図２
2015021538.tif 000002
【特許請求の範囲】
【請求項１】
地中に埋没した不用配管の内方に回転刃を挿入し、前記不用配管の先端が地面より低い位置になるように切断し、
切断後、切断した前記不用配管の先端が地中に埋没するように充填材を充填して前記不用配管を覆い隠す
ことを特徴とする不用配管の埋没方法。
【請求項２】
回転軸の先端に取り付けられ、外径が不用配管の内径より小さい回転刃であること
を特徴とする請求項１記載の不用配管の埋没方法。
【発明の詳細な説明】
【技術分野】
【０００１】
本発明は、不用配管の埋没方法に係り、特に、不用配管を簡易且つ迅速に覆い隠すことができる不用配管の埋没方法に関する。
【背景技術】
【０００２】
従来、例えば、図５に示すような地中に埋没した不用配管１がある。この不用配管１の上端面が地面Ｇの面に露出しているため、見映えが悪い。
そのため、不用配管１の上端面が地面Ｇから見えないように、例えば、図６に示すように、不用配管１の周囲を掘り起こし、該掘り起こした部材を除去する。
除去後、図７に示すように、回転刃２’を用いて、不用配管１の外周側から不用配管１を切断していく（図８参照）。
切断後、図８の切断した不用配管１の先端が地中に埋没するように充填材５を充填するようにしている（図９参照）。
【発明の概要】
【発明が解決しようとする課題】
【０００３】
即ち、上述の不用配管の埋没方法にあっては、地中に埋没した不用配管の周囲を掘り起こさなければならず、不用配管を簡易且つ迅速に埋没することができないという問題点が生じた。
【０００４】
本発明は、前記問題点を考慮したなされた不用配管の埋没方法を提供することを目的とする。
【課題を解決するための手段】
【０００５】
請求項１記載の不用配管の埋没方法は、地中に埋没した不用配管の内方に回転刃を挿入し、前記不用配管の先端が地面より低い位置になるように切断し、切断後、切断した前記不用配管の先端が地中に埋没するように充填材を充填して前記不用配管を覆い隠すものである。
【０００６】
また、請求項２記載の不用配管の埋没方法は、請求項１記載の不用配管の埋没方法において、回転軸の先端に取り付けられ、外径が不用配管の内径より小さい回転刃である。  
【発明の効果】
【０００７】
請求項１記載の不用配管の埋没方法によれば、従来のように、地中に埋没した不用配管の周囲を掘り起こすことなく、地中に埋没した不用配管の内方に回転刃を挿入し、前記不用配管の先端が地面より低い位置になるように切断し、切断後、切断した前記不用配管の先端が地中に埋没するように充填材を充填して前記不用配管を覆い隠すため、簡易かつ迅速に不用配管を埋没させることができる。
【図面の簡単な説明】
【０００８】
【図１】図１は、本発明の一実施例の不用配管の埋没方法を示すもので、地中に埋没した不用配管の内方に回転刃を挿入する前の状態を示す概略的図である。
【図２】図２は、図１の回転刃を不用配管の内方に挿入し、不用配管の一部を切断する状態を示す概略的図である。
【図３】図３は、図２の不用配管の先端が地面より低い位置になるように切断し、充填材を充填する前の状態を示す概略的図である。
【図４】図４は、図３の切断した不用配管の先端が地中に埋没するように充填材を充填した状態を示す概略的図である。
【図５】図５は、従来の不用配管の埋没方法の対象である不用配管を示す概略的図である。
【図６】図６は、図５の不用配管の周囲を掘り起こし、該掘り起こした部材を除去した状態を示す概略的図である。
【図７】図７は、図６の不用配管を切断する状態を示す概略的図である。
【図８】図８は、図７の不用配管の先端を切断した状態を示す概略的図である。
【図９】図９は、図８の切断した不用配管の先端が地中に埋没するように充填材を充填した状態を示す概略的図である。
【発明を実施するための形態】
【０００９】
本発明の一実施例の不用配管の埋没方法を図面（図１乃至図４）を参照して説明する。
図１に示す１は、地中に埋没した不用配管で、不用配管１は、例えば、不用ガス管である[ガス管の材質は、例えば、ＪＩＳに規定された配管用炭素鋼鋼管（ＳＧＰ）]。
【００１０】
また、２は回転刃で、回転刃２は、例えば、電動ドライバー３に装着されるもので、軸（回転軸）４の先端に取り付けられ、回転刃２の外径は、不用配管１の内径より小さくなっている。
回転刃２の外周部は、例えば、ダイヤモンド、立方晶窒化ホウ素 （ＣＢＮ）等のパウダーを電着により固着されているものである。
【００１１】
先ず、地中に埋没した不用配管１の内方に回転刃２挿入する（図１参照）。
挿入後、不用配管１の先端が地面Ｇより低い位置になるように切断していく（図２参照）。
切断後（図３参照）、切断した不用配管１の先端が地中に埋没するように充填材（例えば、モルタル、セメント、土砂等）を充填し、地面Ｇが平になるようにして、不用配管１を覆い隠すようにする（図４参照）。
【００１２】
従って、上述した不用配管の埋没方法によれば、従来のように、地中に埋没した不用配管の周囲を掘り起こすことなく、地中に埋没した不用配管１の内方に回転刃２を挿入し、不用配管１の先端が地面Ｇより低い位置になるように切断し、切断後、切断した不用配管１の先端が地中に埋没するように充填材５を充填して不用配管１を覆い隠すため、簡易かつ迅速に不用配管１を埋没させることができる。
【符号の説明】
【００１３】
１      不用配管
２      回転刃
５      充填材
Ｇ      地面
【図１】
2015021538.tif 000003
【図２】
2015021538.tif 000004
【図３】
2015021538.tif 000005
【図４】
2015021538.tif 000006
【図５】
2015021538.tif 000007
【図６】
2015021538.tif 000008
【図７】
2015021538.tif 000009
【図８】
2015021538.tif 000010
【図９】
2015021538.tif 000011